(57)【要約】【課題】配筋される鉄筋に対する確実な腐蝕防止効果が期待できる鉄筋配筋用スペーサーを提供する。【解決手段】金属線材からなる支持スタンドと、この支持スタンドの脚部の下端部に設けられた接地ブロックとが備えられた鉄筋配筋用スペーサーにおいて、接地ブロックの接地面からこの接地ブロックに埋設されている前記支持スタンドの脚部の下端までの長さが７０ｍｍであり、前記接地ブロックが、強化繊維が混入されたコンクリートまたはモルタルを圧縮処理して高強度に形成されており、また複数の前記支持スタンドが所定間隔開けて配設されて、これら支持スタンドの上端に鉄筋受け止め用の受け止め杆が架設され、この受け止め杆の長さ方向一端が、その長さ方向他端よりも前記支持スタンドに対して軸方向外方に長く突出させている。【選択図】図５
2011001688.tif 000002
【特許請求の範囲】
【請求項１】
金属線材からなる支持スタンドと、この支持スタンドの脚部の下端部に設けられた接地ブロックとが備えられた鉄筋配筋用スペーサーにおいて、
接地ブロックの接地面からこの接地ブロックに埋設されている前記支持スタンドの脚部の下端までの長さが少なくとも４０ｍｍ以上であることを特徴とする鉄筋配筋用スペーサー。
【請求項２】
前記接地ブロックの接地面からこの接地ブロックに埋設されている前記支持スタンドの脚部の下端までの長さが６５ｍｍ以上であることを特徴とする請求項１に記載の鉄筋配筋用スペーサー。
【請求項３】
前記接地ブロックが、強化繊維が混入されたコンクリートまたはモルタルを圧縮処理して高強度に形成されていることを特徴とする請求項１又は２に記載の鉄筋配筋用スペーサー。
【請求項４】
接地ブロックを備えた複数の前記支持スタンドを所定間隔開けて配設すると共に、これら支持スタンドの上端には鉄筋受け止め用の受け止め杆が架設され、この受け止め杆の長さ方向一端が、その長さ方向他端よりも前記支持スタンドに対して軸方向外方に長く突出させていることを特徴とする請求項１、２又は３に記載の鉄筋配筋用スペーサー。
【発明の詳細な説明】
【技術分野】
【０００１】
本発明は、鉄筋配筋用スペーサー、詳しくは主として高架道路の路面や建物の床面を構成するコンクリート構造物を製造する際に、そのコンクリート構造物の補強用鉄筋を支持して、その補強用鉄筋に対する打設コンクリートのかぶり厚さを一定に保つための鉄筋配筋用スペーサーに関する。
【背景技術】
【０００２】
一般に高架道路の路面や建物の床面にコンクリート構造物を敷設する際には、コンクリート構造物の補強用鉄筋を支持して、その鉄筋に対する打設コンクリートのかぶり厚さを一定に保つための鉄筋配筋用スペーサーが用いられる。
【０００３】
この鉄筋配筋用スペーサーは、基本的には、金属線材からなる支持スタンドを備え、この支持スタンドの脚部の下端部に樹脂材料を焼付けたものやあるいは樹脂製若しくはモルタル製の接地ブロックを取り付けたものが提案されている。
【０００４】
ところで、以上の鉄筋配筋用スペーサーを用いて、高架道路の路面として盛り土上にコンクリート構造物を敷設した場合、盛り土に含まれる水分の影響により、支持スタンドや配筋された補強用鉄筋に錆が生じる不具合が見受けられた。
【０００５】
即ち、前記した鉄筋配筋用スペーサーにあっては、支持スタンドの脚部の下端と盛り土との間隔が充分確保されておらず、換言すれば、支持スタンドの脚部の下端が盛り土の接地面に対して近接して接地されるものであり、しかも接地ブロック自体も従来は低密度に形成されていることから、盛り土に含まれる水分が、毛細管現象により接地ブロック内に浸透して、支持スタンド更には鉄筋に伝って、支持スタンドや鉄筋に錆びが生じる不具合があった。
【０００６】
また支持スタンドの脚部の下端部に樹脂材料を焼付けるか若しくは樹脂製の接地ブロックを取り付けた鉄筋配筋用スペーサーでは、接地ブロックのコンクリート母体に対する密着性（接着性）が悪くて、支持スタンドの脚部若しくは接地ブロックとコンクリート母体との間に隙間が生じ易く、そのため、同じく毛細管現象により、盛り土に含まれる水分が、支持スタンドの脚部若しくは接地ブロックとコンクリート母体との間の隙間を浸透して、支持スタンド更には鉄筋に伝わり、支持スタンドや鉄筋に錆びが生じる不具合があった。
【先行技術文献】
【特許文献】
【０００７】
実公平７−３２７１１号公報
【発明の概要】
【発明が解決しようとする課題】
【０００８】
本発明は、以上の実情に鑑みて開発されたものであって、その目的とするところは、配筋される補強用鉄筋に対して確実な腐蝕防止効果が期待できる鉄筋配筋用スペーサーを提供することにある。
【課題を解決するための手段】
【０００９】
請求項１に記載の発明は、金属線材からなる支持スタンドと、この支持スタンドの脚部の下端部に設けられた接地ブロックとが備えられた鉄筋配筋用スペーサーにおいて、接地ブロックの接地面からこの接地ブロックに埋設されている前記支持スタンドの脚部の下端までの長さが少なくとも４０ｍｍ以上であることを特徴とする。
【００１０】
請求項２に記載の発明は、請求項１に記載の鉄筋配筋用スペーサーにおいて、接地ブロックの接地面からこの接地ブロックに埋設されている前記支持スタンドの脚部の下端までの長さが６５ｍｍ以上であることを特徴とする。
【００１１】
請求項３に記載の発明は、請求項１又は２に記載の鉄筋配筋用スペーサーにおいて、前記接地ブロックが、強化繊維が混入されたコンクリートまたはモルタルを圧縮処理して高強度に形成されていることを特徴とする。
【００１２】
請求項４に記載の発明は、請求項１、２又は３に記載の鉄筋配筋用スペーサーにおいて、接地ブロックを備えた複数の前記支持スタンドが所定間隔開けて配設されると共に、これら支持スタンドの上端には鉄筋受け止め用の受け止め杆が架設され、この受け止め杆の長さ方向一端が、その長さ方向他端よりも前記支持スタンドに対して軸方向外方に長く突出させていることを特徴とする。
【発明の効果】
【００１３】
請求項１に記載の発明によれば、接地ブロックの下端の被接地面からこの接地ブロックに埋設された支持スタンドの脚部の下端までの長さが充分確保されて、例えば高架道路の盛り土に含まれる水分が支持スタンドやこの支持スタンドに配筋される補強鉄筋への付着が抑制されるので、補強用鉄筋が不用意に錆びるようなことがない。
【００１４】
請求項２に記載の発明よれば、接地ブロックの接地面からこの接地ブロックに埋設されている前記支持スタンドの脚部の下端までの長さが６５ｍｍ以上確保するようにしていることから、例えば高架道路の盛り土に含まれる水分が支持スタンドやこの支持スタンドに配筋される補強鉄筋への付着が更に抑制することが出来る。
【００１５】
請求項３に記載の発明よれば、前記接地ブロックが、強化繊維が混入されたコンクリートまたはモルタルを圧縮処理して  高強度に形成されていることから、例えば高架道路の路面を構成するコンクリート構造物の施工に用いることで、打設コンクリートとの高い親和性が充分保たれるので、例えば高架道路の盛り土に含まれる水分が支持スタンドやこの支持スタンドに配筋される補強鉄筋への付着がより一層抑制することが出来る。
【００１６】
請求項４に記載の発明によれば、接地ブロックを備えた複数の前記支持スタンドが所定間隔開けて配設されると共に、これら支持スタンドの上端には鉄筋受け止め用の受け止め杆が架設され、この受け止め杆の長さ方向一端が、その長さ方向他端よりも前記支持スタンドに対して軸方向外方に長く突出させたことにより、請求項１、２または３に記載の発明の効果に加えて、補強用鉄筋をより安定的に支持することが出来るのは勿論のこと、複数の鉄筋配筋用スペーサーを直列状に並べるに際して、受け止め杆の延長部を、隣接する鉄筋配筋用スペーサーの支持スタンド上に載置することで、この延長部を挟んで対向する支持スタンド及びこれら支持スタンドに設けられる接地ブロックの間隔を充分開けることが出来、従って、打設するコンクリートをこれら支持スタンド間にスムーズに流入させることが出来、接地ブロック周りに不用意に空隙が生じるのを防ぐことが出来る。
【図面の簡単な説明】
【００１７】
【図１】本発明にかかる鉄筋配筋用スペーサーの一実施形態を示す斜視図。
【図２】同、側面図。
【図３】同、平面図。
【図４】同、拡大正面図。
【図５】同、要部の拡大断面図。
【図６】同、要部の拡大断面図。
【図７】鉄筋配筋用スペーサーの使用状態を示す説明図。
【図８】鉄筋配筋用スペーサーの使用状態を示す説明図。
【発明を実施するための形態】
【００１８】
以下、本発明にかかる型枠用セパレータの一実施形態について詳細に説明する。
【００１９】
先ず図１は鉄筋配筋用スペーサーの斜視図、図２は鉄筋配筋用スペーサーの側面図、図３は鉄筋配筋用スペーサーの平面図、図４は鉄筋配筋用スペーサーの拡大正面図、図５及び図６は鉄筋配筋用スペーサーの要部の拡大断面図、図７及び図８は鉄筋配筋用スペーサーの使用状態を示す説明図である。
【００２０】
以上の図において符号１で示す鉄筋配筋用スペーサーは、ステンレス製金属線材を逆Ｕ字状に屈曲形成した5個の支持スタンド２と、これら支持スタンド２の左右脚部２０の下端部に設けられた左右一対の接地ブロック３と、所定間隔開けて配設された支持スタンド２の上端に架設された補強用鉄筋受け止め用の受け止め杆４とから構成されている。
【００２１】
支持スタンド２は、直径が７ｍｍの断面円形とした鉄製金属線材を用いている。
【００２２】
尚、この支持スタンド２は、  ステンレス材から形成してもよい。
【００２３】
そしてこの支持スタンド２における左右脚部２０の下端部は、プレス成形により扁平状に圧縮されて、抜け止め片２１が一体形成されている。
【００２４】
支持スタンド２の左右脚部２０に設けられた接地ブロック３は、高さＨが１００ｍｍ、上端の直径Ｓ１が３０ｍｍ、下端の直径Ｓ２が２０ｍｍとしたほぼ逆円錐台状に形成されている。
【００２５】
接地ブロック３は、次の配合比率のコンクリートから形成されている。
【００２６】
即ち、コンクリート１立方メートルあたり、セメント９５０ｋｇ、水３３３ｋｇ、細骨材８８８ｋｇ、グラスファイバー（強化繊維）２２ｋｇを使用している。
そして、接地ブロック３は、以上の配合比率のコンクリートに対して圧縮強度６０Ｎ／平方ミリでの圧縮処理により、高密度で且つ高強度に形成されている。
【００２７】
接地ブロック３をコンクリートから高強度に成形した理由は、後記するコンクリート構造物Ｃの打設コンクリートとの高い親和性を保つためである。
【００２８】
支持スタンド２の脚部２０は、この接地ブロック３の上端から下方に向かって埋設されて、接地ブロック３の下端の被接地面３１からこの接地ブロック３に埋設された支持スタンド２の脚部２０の下端までの長さＬを７０ｍｍとしている。
【００２９】
即ち、接地ブロック３の下端の被接地面３１からこの接地ブロック３に埋設された支持スタンド２の脚部２０の下端までの長さの異なる複数の鉄筋配筋用スペーサー１を作成して、高架道路の路面を構成するコンクリート構造物Ｃへの施工実験を行なった結果、接地ブロック３の下端の被接地面３１からこの接地ブロック３に埋設された支持スタンド２の脚部２０の下端までの長さＬが３０ｍｍである場合には、盛り土Ａや改良地盤Ｂに含まれる水分が支持スタンド２乃至補強鉄筋Ｋに付着する現象が見受けられたのに対して、接地ブロック３の下端の被接地面３１からこの接地ブロック３に埋設された支持スタンド２の脚部２０の下端までの長さＬが４０mmである場合には、盛り土Ａや改良地盤Ｂに含まれる水分の支持スタンド２乃至補強鉄筋Ｋへの付着がほぼ解消され、接地ブロック３の下端の被接地面３１からこの接地ブロック３に埋設された支持スタンド２の脚部２０の下端までの長さＬが６５ｍｍである場合には、盛り土Ａや改良地盤Ｂに含まれる水分の支持スタンド２乃至補強鉄筋Ｋへの付着は見受けられなかったので、接地ブロック３の下端の被接地面３１からこの接地ブロック３に埋設された支持スタンド２の脚部２０の下端までの長さＬを、安全を見越して７０ｍｍとしたのである。
【００３０】
また５個の支持スタンド２は、所定間隔開けて配設され、その上端に前記した受け止め杆４が溶接により架設されているのであって、この受け止め杆４には、図２にも示すように、その長さ方向一端（図２においては左側）がその長さ方向他端（図２においては右側）よりも前記支持スタンド２に対して軸方向外方に長く突出した延長部４１が設けられている。
【００３１】
以上の構造の鉄筋配筋用スペーサー１を用いて、盛り土Ａの上面に敷設した改良地盤Ｂ上に高架道路の路面となるコンクリート構造物Ｃを施工する場合について説明する。
【００３２】
先ず、図７に示すように、改良地盤Ｂ上に複数の鉄筋配筋用スペーサー１を直列状に並べると共に、直列状に並ぶ鉄筋配筋用スペーサー１群を所定間隔開けて複数平行に配置するのであって、直列状に並べるに際しては、図７に示すように、受け止め杆４の延長部４１を、隣接する鉄筋配筋用スペーサー１の支持スタンド２上に載置する。
【００３３】
続いて、図７及び図８に示すように、補強用鉄筋Ｋを受け止め杆4上に配筋した後、コンクリートを補強用鉄筋Ｋ上に投入してコンクリート構造物Ｃを形成するのである。
【００３４】
ところで、前記したように、複数の鉄筋配筋用スペーサー１を直列状に並べるに際して、受け止め杆４の延長部４１を、隣接する鉄筋配筋用スペーサー１の支持スタンド２上に載置することで、この延長部４１を挟んで対向する支持スタンド及びこれら支持スタンドに設けられる設置ブロック３の間隔を充分開けることが出来、従って、打設されるコンクリートがこれら支持スタンド間にスムーズに流入する。
【００３５】
斯くして、接地ブロック３が、コンクリート構造物Ｃのコンクリート母体に対して親和性の高い高強度のコンクリート製であり、コンクリート母体に対する一体性を確保することができ、しかも接地ブロック３の下端の被接地面３１からこの接地ブロック３に埋設された支持スタンド２の脚部２０の下端までの長さが７０ｍｍと充分確保されているので、盛り土Ａ及び改良地盤Ｂに含まれる水分が、従来のように設置ブロック３を伝って支持スタンド２等に付着するようなことがないのである。
【００３６】
従って、支持スタンド２、受け止め杆４及び受け止め杆4上に配置される補強鉄筋Ｋに錆が生じるのを確実に防止することが出来る。
【００３７】
尚、例えばコンクリート構造物Ｃの配筋如何により、補強鉄筋Ｋに対する打設コンクリートのかぶり厚さが変る場合には、それに応じて鉄筋配筋用スペーサー１の高さも適宜変えればよい。
【００３８】
以上の実施形態では、接地ブロック３をコンクリートの圧縮処理により高強度に形成したが、モルタルの圧縮処理により高強度に形成してもよい。
【００３９】
また以上の実施形態では、支持スタンド２を5個用いたが、これに限定されるものではなく、例えば8個用いても良い。
【００４０】
また以上の実施形態では、所定間隔あけて配置した複数の支持スタンド２を受け止め杆４で連結したが、これに限定されるものではなく、例えば1個の支持スタンド２のみから形成して、この支持スタンド２の上端に補強用鉄筋Ｋを直接載せるようにしてもよい。
【符号の説明】
【００４１】
１      鉄筋配筋用スペーサー
２      支持スタンド
２０    脚部
２１    抜け止め片
３      接地ブロック
３１    被接地面
４      受け止め杆
４１    延長部
Ｋ      補強用鉄筋
Ａ      盛り土
Ｂ      改良地盤
Ｃ      コンクリート構造物
【図１】
2011001688.tif 000003
【図２】
2011001688.tif 000004
【図３】
2011001688.tif 000005
【図４】
2011001688.tif 000006
【図５】
2011001688.tif 000007
【図６】
2011001688.tif 000008
【図７】
2011001688.tif 000009
【図８】
2011001688.tif 000010